(57)【要約】【課題】高温環境での使用時において画像の焼き付きが生じるのを防止することが可能な電気泳動表示装置及び電子機器を提供する。【解決手段】本発明の電気泳動表示装置１００は、一対の基板間に電気泳動素子を挟持してなる電気泳動表示部と、温度センサー６５と、電気泳動表示部及び温度センサー６５を制御するコントローラー６３とを備えた電気泳動表示装置であって、コントローラー６３は、温度センサー６５により検出された環境温度が予め設定された基準温度以上である期間に、電気泳動表示部を、少なくとも一部の領域を単一階調表示に固定する表示制限モードで動作させる。【選択図】図４
2011013467.tif 000002
【特許請求の範囲】
【請求項１】
一対の基板間に電気泳動素子を挟持してなる電気泳動表示部と、温度測定部と、前記電気泳動表示部及び温度測定部を制御する制御部とを備えた電気泳動表示装置であって、
前記制御部は、前記温度測定部により検出された環境温度が予め設定された基準温度以上である期間に、前記電気泳動表示部を、少なくとも一部の領域を単一階調表示に固定する表示制限モードで動作させることを特徴とする電気泳動表示装置。
【請求項２】
前記表示制限モードにおいて、
前記制御部は、前記電気泳動表示部の全面を単一階調表示に固定させることを特徴とする請求項１に記載の電気泳動表示装置。
【請求項３】
外部からの操作入力に基づいて前記制御部に制御信号を出力する操作入力部を備えており、
前記表示制限モードにおいて、
前記制御部は、前記制御信号が入力されている期間にのみ前記電気泳動表示部に画像を表示させることを特徴とする請求項１又は２に記載の電気泳動表示装置。
【請求項４】
外部からの操作入力に基づいて前記制御部に制御信号を出力する操作入力部を備えており、
前記表示制限モードにおいて、
前記制御部は、前記制御信号が入力されてからの所定期間にのみ前記電気泳動表示部に画像を表示させることを特徴とする請求項１又は２に記載の電気泳動表示装置。
【請求項５】
前記表示制限モードにおいて、
前記制御部は、前記電気泳動表示部に表示された画像成分の表示位置を、間欠的に又は連続的に移動させることを特徴とする請求項１に記載の電気泳動表示装置。
【請求項６】
前記制御部は、前記電気泳動表示部を前記表示制限モードに移行させるに先立って、前記表示制限モードに移行させる旨を報知するモード変更報知動作を実行することを特徴とする請求項１から５のいずれか１項に記載の電気泳動表示装置。
【請求項７】
前記モード変更報知動作は、前記電気泳動表示部の表示部に、モード変更を表示又は示唆する画像を表示させる動作であることを特徴とする請求項６に記載の電気泳動表示装置。
【請求項８】
音を発生させる音源装置をさらに備えており、
前記モード変更報知動作は、モード変更を報知する報知音を前記音源装置から発生させる動作であることを特徴とする請求項６又は７に記載の電気泳動表示装置。
【請求項９】
請求項１から８に記載の電気泳動表示装置を備えたことを特徴とする電子機器。
【発明の詳細な説明】
【技術分野】
【０００１】
本発明は、電気泳動表示装置及び電子機器に関するものである。
【背景技術】
【０００２】
電気泳動表示装置として、一対の基板間に設けられた空間に、帯電粒子（電気泳動粒子）と分散媒とからなる電気泳動素子を挟持した方式のものが知られている。特許文献１には、このような電気泳動表示装置の一種である電子ペーパーを時計に適用した画像書き換えシステムが記載されている。
【先行技術文献】
【特許文献】
【０００３】
【特許文献１】特開２００８−３９６９７号公報
【発明の概要】
【発明が解決しようとする課題】
【０００４】
電子ペーパーの特性として、特に高温度帯（４０℃付近以上）では、常温度帯（２５℃付近）よりも電流が流れやすくなる性質があり、表示切替時に過剰書き込みになる傾向がある。そのため、高温環境での駆動表示、または任意画像を表示させたまま長時間放置しておいた場合、その後に表示を更新しても放置時の画像が薄く残ってしまう不具合（焼き付き）が発生してしまう。
上記文献の記載の技術によれば、無通電で画像を表示保持することで消費電力の増大を抑制することができるが、使用環境の温度についての言及はされておらず、環境温度によっては画像の焼き付きが生じるおそれがある。
【０００５】
本発明は、上記従来技術の問題点に鑑み成されたものであって、高温環境での使用時においても消費電力を抑えるとともに画像の焼き付きが生じるのを防止することが可能な電気泳動表示装置及び電子機器を提供することを目的の一つとしている。
【課題を解決するための手段】
【０００６】
本発明の電気泳動表示装置は、上記課題を解決するために、一対の基板間に電気泳動素子を挟持してなる電気泳動表示部と、温度測定部と、前記電気泳動表示部及び温度測定部を制御する制御部とを備えた電気泳動表示装置であって、前記制御部は、前記温度測定部により検出された環境温度が予め設定された基準温度以上である期間に、前記電気泳動表示部を、少なくとも一部の領域を単一階調表示に固定する表示制限モードで動作させることを特徴とする。
【０００７】
本発明によれば、温度測定部により検出された環境温度が予め設定された基準温度以上である期間に、電気泳動表示部の少なくとも一部の領域を単一階調表示に固定する表示制限モードで動作させることとしたので、固着し難い特定色の電気泳動粒子によって表示を行うことで効果的に焼き付きを防止することができる。
【０００８】
また、前記表示制限モードにおいて、前記制御部は、前記電気泳動表示部の全面を単一階調表示に固定させることが好ましい。
本発明によれば、電気泳動表示部の全面を単一階調表示に固定させることとしたので、表示画像の全てを消去でき、表示画像の焼き付きをより効果的且つ確実に防止することができる。
【０００９】
外部からの操作入力に基づいて前記制御部に制御信号を出力する操作入力部を備えており、前記表示制限モードにおいて、前記制御部は、前記制御信号が入力されている期間にのみ前記電気泳動表示部に画像を表示させることが好ましい。
本発明によれば、操作入力部からの制御信号が入力されている期間にのみ電気泳動表示部に画像を表示させることとしたので、ユーザーが確認したい時にいつでも画像を表示させることができ、ユーザーにストレスを感じさせることなく焼き付きを防止することができる。
【００１０】
また、外部からの操作入力に基づいて前記制御部に制御信号を出力する操作入力部を備えており、前記表示制限モードにおいて、前記制御部は、前記制御信号が入力されてからの所定期間にのみ前記電気泳動表示部に画像を表示させることが好ましい。
本発明によれば、操作入力部からの制御信号が入力されてからの所定時間にのみ電気泳動表示部に画像を表示させることとしたので、ユーザーが確認したい場合にいつでも画像を表示させることができ、ユーザーにストレスを感じさせることなく焼き付きを防止することができる。また、操作時間が少なくて済むので、ユーザーの行動が制限されることがない。
【００１１】
また、前記表示制限モードにおいて、前記制御部は、前記電気泳動表示部に表示された画像成分の表示位置を、間欠的に又は連続的に移動させることが好ましい。
本発明によれば、電気泳動表示部に表示された画像成分の表示位置を、間欠的に又は連続的に移動させることにより、全ての画像を消去させることなく焼き付きを防止することができる。これにより、ユーザーにストレスを感じさせることなく焼き付きを防止することができる。
【００１２】
また、前記制御部は、前記電気泳動表示部を前記表示制限モードに移行させるに先立って、前記表示制限モードに移行させる旨を報知するモード変更報知動作を実行することが好ましい。
本発明によれば、表示制限モードに移行させる旨を予めユーザーに報知することにより、ユーザーに表示制限モードである旨を確実に認識させることができる。これにより、通常の表示と異なることでユーザーが装置が故障したと誤解するようなことを防止することができる。
【００１３】
また、前記モード変更報知動作は、前記電気泳動表示部の表示部に、モード変更を表示又は示唆する画像を表示させる動作であることが好ましい。
本発明によれば、モード変更報知動作として、電気泳動表示部の表示部にモード変更を表示又は示唆する画像を表示させる動作を行うことにより、表示制限モードに移行させる旨をユーザーに確実に認識させることができる。これにより、通常の表示と異なることで、ユーザーが装置が故障したと誤解するようなことを防止することができる。
【００１４】
また、音を発生させる音源装置をさらに備えており、前記モード変更報知動作は、モード変更を報知する報知音を前記音源装置から発生させる動作であることが好ましい。
本発明によれば、モード変更報知動作として、モード変更を報知する報知音を音源装置から発生させる動作を行うことにより、ユーザーが電気泳動表示部を確認することができない状態であっても、表示制限モードに移行させる旨をユーザーに確実に認識させることができる。
【００１５】
本発明の電子機器は、先に記載の電気泳動表示装置を備えたことを特徴とする。
本発明によれば、高温度環境下における画像の焼き付きを防止することのできる表示手段を具備した電子機器を提供することができる。
【００１６】
また、本発明の電気泳動表示装置の駆動方法は、一対の基板間に電気泳動素子を挟持してなる電気泳動表示部と、温度測定部とを備えた電気泳動表示装置の駆動方法であって、前記温度測定部により環境温度を検出するステップと、検出された前記環境温度に基づいて前記電気泳動表示部の動作モードを切り換えるステップとを有し、検出された前記環境温度が予め設定された基準温度以上である期間に、前記電気泳動表示部を、少なくとも一部の領域を単一階調表示に固定する表示制限モードで動作させることを特徴とする。
【００１７】
また、上記の電気泳動表示装置の駆動方法においては、以下の駆動方法とすることも好ましい。
前記表示制限モードにおいて、前記電気泳動表示部の全面を単一階調表示に固定させることも好ましい。
【００１８】
また、外部からの操作入力に基づいて前記制御部に制御信号を出力する操作入力部を備えており、前記表示制限モードにおいて、前記制御信号が入力されている期間にのみ前記電気泳動表示部に画像を表示させることも好ましい。
【００１９】
また、外部からの操作入力に基づいて前記制御部に制御信号を出力する操作入力部を備えており、前記表示制限モードにおいて、前記制御信号が入力されてからの所定期間にのみ前記電気泳動表示部に画像を表示させることも好ましい。
【００２０】
また、前記表示制限モードにおいて、前記電気泳動表示部に表示された画像成分の表示位置を、間欠的に又は連続的に移動させることも好ましい。
【００２１】
また、前記電気泳動表示部を前記表示制限モードに移行させるに先立って、前記表示制限モードに移行させる旨を報知するモード変更報知ステップを有することが好ましい。
【００２２】
また、前記モード変更報知ステップは、前記電気泳動表示部に、モード変更を表示又は示唆する画像を表示させるステップであることが好ましい。
【００２３】
また、音を発生させる音源装置をさらに備えており、前記モード変更報知ステップは、モード変更を報知する報知音を前記音源装置から発生させるステップであることも好ましい。
【００２４】
また、前記モード変更報知ステップは、前記電気泳動表示部の少なくとも一部の表示の更新を停止させるステップを含むことも好ましい。
【図面の簡単な説明】
【００２５】
【図１】本実施形態に係る電気泳動表示装置の概略構成図。
【図２】電気泳動表示装置の断面構造とともに電気的構成を示した図。
【図３】電気泳動表示装置の動作説明図。
【図４】電気泳動表示装置の機能ブロック図。
【図５】本発明の駆動方法を示すフローチャート。
【図６】本発明の駆動方法の説明図。
【図７】温度帯別の画像コントラスト（濃度・反射率）を示したグラフ。
【図８】温度帯別の画像コントラスト（白黒）を示したグラフ。
【図９】電子機器の一例を示す図。
【図１０】電子機器の一例を示す図。
【図１１】電子機器の一例を示す図。
【発明を実施するための形態】
【００２６】
以下、図面を用いて本発明の電気泳動表示装置及びその駆動方法について説明する。
なお、本実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００２７】
図１は、本発明の実施の形態に係る電気泳動表示装置１００の概略構成図である。図２（ａ）は、電気泳動表示装置１００の断面構造とともに電気的構成を示した図である。
電気泳動表示装置１００は、複数の画素（セグメント）４０が配置された表示部５と、コントローラー（制御部）６３と、コントローラー６３と接続された画素電極駆動回路６０とを備えている。画素電極駆動回路６０は、それぞれの画素４０と画素電極配線６１を介して接続されている。また、表示部５には、各々の画素４０に共通の共通電極３７（図２参照）が設けられている。なお、図１では共通電極３７を便宜的に配線として表示している。
【００２８】
電気泳動表示装置１００は、コントローラー６３から画素電極駆動回路６０に画像データを転送し、かかる画像データに基づく電位を、個々の画素４０に直接入力するセグメント駆動方式の電気泳動表示装置である。
【００２９】
図２（ａ）に示すように、電気泳動表示装置１００の表示部５は、第１基板３０と第２基板３１との間に、電気泳動素子３２を挟持した構成である。第１基板３０の電気泳動素子３２側に複数の画素電極（セグメント電極；第１電極）３５が形成され、第２基板３１の電気泳動素子３２側には共通電極（第２電極）３７が形成されている。電気泳動素子３２は、電気泳動粒子を内部に封入した複数のマイクロカプセル２０を平面的に配列した構成である。電気泳動表示装置１００は、電気泳動素子３２により形成された画像を共通電極３７側に表示する。
【００３０】
第１基板３０は、ガラスやプラスチック等からなる基板であり、画像表示面とは反対側に配置されるため透明なものでなくてもよい。画素電極３５は、Ｃｕ（銅）箔上にニッケルメッキと金メッキとをこの順番で積層したものや、Ａｌ（アルミニウム）、ＩＴＯ（インジウム・スズ酸化物）などを用いて形成される。
一方、第２基板３１はガラスやプラスチック等からなる基板であり、画像表示側に配置されるため透明基板とされる。共通電極３７は、ＭｇＡｇ（マグネシウム銀）、ＩＴＯ、ＩＺＯ（登録商標；インジウム・亜鉛酸化物）などを用いて形成される透明電極である。
【００３１】
各々の画素電極３５には、画素電極配線６１を介して画素電極駆動回路６０が接続されている。画素電極駆動回路６０には、各々の画素電極配線６１に対応するスイッチング素子６０ｓが設けられており、スイッチング素子６０ｓの動作により画素電極３５に対する電位の入力と電気的切断（ハイインピーダンス化）を行う。
【００３２】
一方、共通電極３７には、共通電極配線６２を介して共通電極駆動回路６４が接続されている。共通電極駆動回路６４には、共通電極配線６２と接続されたスイッチング素子６４ｓが設けられており、スイッチング素子６４ｓの動作により共通電極３７に対する電位の入力と電気的切断（ハイインピーダンス化）を行う。
【００３３】
なお、電気泳動素子３２は、あらかじめ第２基板３１側に形成され、接着剤層３３までを含めた電気泳動シートとして取り扱われるのが一般的である。製造工程において、電気泳動シートは接着剤層３３の表面に保護用の剥離シートが貼り付けられた状態で取り扱われる。そして、別途製造された第１基板３０（画素電極３５などが形成されている）に対して、剥離シートを剥がした当該電気泳動シートを貼り付けることによって、表示部５を形成する。このため、接着剤層３３は画素電極３５側のみに存在することになる。
【００３４】
図２（ｂ）は、マイクロカプセル２０の模式断面図である。マイクロカプセル２０は、例えば３０〜５０μｍ程度の粒径を有しており、内部に分散媒２１と、複数の白色粒子（電気泳動粒子）２７と、複数の黒色粒子（電気泳動粒子）２６とを封入した球状体である。マイクロカプセル２０は、図２に示したように共通電極３７と画素電極３５との間に挟持され、１つの画素４０内に１つ又は複数のマイクロカプセル２０が配置される。
【００３５】
マイクロカプセル２０の外殻部（壁膜）は、ポリメタクリル酸メチル、ポリメタクリル酸エチルなどのアクリル樹脂、ユリア樹脂、アラビアガムなどの透光性を持つ高分子樹脂などを用いて形成される。
分散媒２１は、白色粒子２７と黒色粒子２６とをマイクロカプセル２０内に分散させる液体である。分散媒２１としては、水、アルコール系溶媒（メタノール、エタノール、イソプロパノール、ブタノール、オクタノール、メチルセルソルブなど）、エステル類（酢酸エチル、酢酸ブチルなど）、ケトン類（アセトン、メチルエチルケトン、メチルイソブチルケトンなど）、脂肪族炭化水素（ぺンタン、ヘキサン、オクタンなど）、脂環式炭化水素（シクロへキサン、メチルシクロへキサンなど）、芳香族炭化水素（ベンゼン、トルエン、長鎖アルキル基を有するベンゼン類（キシレン、ヘキシルベンゼン、ヘブチルベンゼン、オクチルベンゼン、ノニルベンゼン、デシルベンゼン、ウンデシルベンゼン、ドデシルベンゼン、トリデシルベンゼン、テトラデシルベンゼンなど））、ハロゲン化炭化水素（塩化メチレン、クロロホルム、四塩化炭素、１，２−ジクロロエタンなど）、カルボン酸塩などを例示することができ、その他の油類であってもよい。これらの物質は単独又は混合物として用いることができ、さらに界面活性剤などを配合してもよい。
【００３６】
白色粒子２７は、例えば、二酸化チタン、亜鉛華、三酸化アンチモン等の白色顔料からなる粒子（高分子あるいはコロイド）であり、例えば負に帯電されて用いられる。黒色粒子２６は、例えば、アニリンブラック、カーボンブラック等の黒色顔料からなる粒子（高分子あるいはコロイド）であり、例えば正に帯電されて用いられる。
これらの顔料には、必要に応じ、電解質、界面活性剤、金属石鹸、樹脂、ゴム、油、ワニス、コンパウンドなどの粒子からなる荷電制御剤、チタン系カップリング剤、アルミニウム系カップリング剤、シラン系カップリング剤等の分散剤、潤滑剤、安定化剤などを添加することができる。
また、黒色粒子２６及び白色粒子２７に代えて、例えば赤色、緑色、青色などの顔料を用いてもよい。かかる構成によれば、表示部５に赤色、緑色、青色などを表示することができる。
【００３７】
図３は、電気泳動素子の動作説明図である。図３（ａ）は、画素４０を白表示する場合、図３（ｂ）は、画素４０を黒表示する場合をそれぞれ示している。
図３（ａ）に示す白表示の場合には、共通電極３７が相対的に高電位、画素電極３５が相対的に低電位に保持される。これにより、負に帯電した白色粒子２７が共通電極３７に引き寄せられる一方、正に帯電した黒色粒子２６が画素電極３５に引き寄せられる。その結果、表示面側となる共通電極３７側からこの画素を見ると、白色（Ｗ）が認識される。
図３（ｂ）に示す黒表示の場合、共通電極３７が相対的に低電位、画素電極３５が相対的に高電位に保持される。これにより、正に帯電した黒色粒子２６が共通電極３７に引き寄せられる一方、負に帯電した白色粒子２７が画素電極３５に引き寄せられる。その結果、共通電極３７側からこの画素を見ると黒色（Ｂ）が認識される。
【００３８】
図４は、電気泳動表示装置１００の機能ブロック図である。
電気泳動表示装置１００は、図４に示すように、コントローラー６３と、温度センサー６５と、操作入力部６６と、インターフェース６７と、電源６８と、駆動回路６９と、音源装置７４と、を備えている。駆動回路６９は、図１及び図２に示した画素電極駆動回路６０と共通電極駆動回路６４とを含み、表示部５と接続されている。
【００３９】
コントローラー６３は、制御回路７０と、メモリー７１と、タイマー７２と、表示書換回路７３とを備えている。
制御回路７０は電気泳動表示装置１００におけるＣＰＵ（Central Processing Unit）であり、電気泳動表示装置１００の各部の動作を総合的に制御する。制御回路７０は、コントローラー６３の内部でメモリー７１、タイマー７２及び表示書換回路７３と接続されている。さらに制御回路７０には、コントローラー６３の外部に設けられた温度センサー６５（温度測定部）、操作入力部６６、インターフェース６７、及び電源６８が接続されている。
【００４０】
メモリー７１は、揮発性メモリーであっても不揮発性メモリーであってもよい。揮発性メモリーとしては、例えばＳＲＡＭ（Static Random Access Memory）やＤＲＡＭ（Dynamic Random Access Memory）などを用いることができる。不揮発性メモリーとしては、例えばマスクＲＯＭ（Read Only Memory）や、フラッシュメモリー、ＦｅＲＡＭ（Ferroelectric Random Access Memory）などを用いることができる。
【００４１】
メモリー７１には、電源オン、オフ時における表示画像パターンなどを定めた所定の画像データや、温度情報と動作モードとの対応関係を規定したＬＵＴ(Look up Table)、表示部５を駆動制御するプログラムなどが記憶されている。また、温度センサー６５を用いて取得した温度情報や動作時間情報などを保持するワーキングメモリーとしても機能する。
【００４２】
タイマー７２は、独立に、あるいは制御回路７０の制御下で、所望の時間計測を実行する。タイマー７２の構成は特に限定されず、コントローラー６３に内蔵可能な形態のほか、温度センサー６５と同様に独立の装置として搭載されていてもよい。
【００４３】
表示書換回路７３は、インターフェース６７を介して制御回路７０に入力され、制御回路７０から送信された画像データを表示部５の画素４０に表示可能な画像データに変換する。表示書換回路７３において変換された画像データには、各々の画素４０に対応する表示色情報が含まれている。表示書換回路７３で生成された画像データは、駆動回路６９（画素電極駆動回路６０、共通電極駆動回路６４）に送信される。
【００４４】
温度センサー６５は、温度に応じて抵抗値や容量値などの電気量が変化するセンサーであり、検出した温度を制御回路７０に対して送信する。温度センサー６５としては、例えばサーミスターや熱電対などを用いることができる。温度センサー６５から制御回路７０に入力される信号はアナログ検出信号であるから、このアナログ検出信号を符号化された温度情報としてのデータにＡＤ変換するＡＤコンバータを、コントローラー６３又は制御回路７０に内蔵していることが好ましい。
【００４５】
温度センサー６５は、電気泳動表示装置１００に１個又は複数個備えられ、図１及び図２に示した表示部５の温度を測定可能な位置に設けられる。
例えば、図２（ａ）に示した第１基板３０の背面に温度センサー６５を取り付けることができる。また、表示部５の平面積が大きい場合などには、表示部５の中央付近と周縁部の２ヶ所以上に温度センサー６５を取り付けてもよい。複数の温度センサー６５を取り付ける場合に制御回路７０で取得する温度情報としては、複数の温度センサー６５で測定された複数の温度の単純平均値又は加重平均値であってもよいし、複数の温度の最高値であってもよい。
【００４６】
音源装置７４は、スピーカーなどを備えてなり、温度センサー６５による検出温度に応じて、表示部５を表示制限モードへ移行する旨を報知するための報知音を発生させる。報知に用いる音色の種類は、一種類であってもいいし、複数種類用いることによって検出温度の変化をユーザーに報知するとしてもよい。例えば、正常モードへ復帰する場合に別の報知音を発生させてもよい。
【００４７】
操作入力部６６は、ユーザーによる動作指示が入力される電気泳動表示装置１００のユーザーインターフェースである。
インターフェース６７は、電気泳動表示装置１００と外部装置（図示略）との接続装置であり、外部装置から入力される画像データや命令を制御回路７０に転送するとともに、制御回路７０から出力される応答信号等を外部装置に転送する。
電源６８は、電気泳動表示装置１００に電力を供給する電池や、外部電源と接続された電源回路である。
駆動回路６９は、表示書換回路７３から入力された画像データに基づいて、各々の画素４０に画像信号を入力する。これにより、各々の画素４０の電気泳動素子３２が駆動され、画像データに規定された画像が表示部５に表示される。
【００４８】
［駆動方法］
次に、上記構成を備えた電気泳動表示装置の駆動方法について説明する。
図５は、本実施形態の駆動方法を示すフローチャートである。図６は、本実施形態の駆動方法における表示部５の状態遷移を示す説明図である。
【００４９】
図５に示すように、本実施形態の駆動方法は、温度検出ステップＳＴ１０と、検出温度判定ステップＳＴ１１と、モード変換報知ステップＳＴ１２と、表示制限モード移行ステップＳＴ１３と、通常モード移行ステップＳＴ１４と、を含む。
【００５０】
図６に示す第１領域Ａ１は、黒表示の文字画像が表示される領域に対応し、第２領域Ａ２は、白表示の背景画像が表示される領域に対応する。また、第３領域３Ａは、黒表示の報知内容が表示される領域に対応する。
【００５１】
制御回路７０は、図６に示すように表示部５の第１領域Ａ１及び第２領域Ａ２に任意の画像を表示させる。例えば、第１領域Ａ１に黒表示の時刻「１２：００」を表示させ、第２領域に白表示の背景画像を表示させる。
このとき制御回路７０は、表示書換回路７３に、時刻「１２：００」に対応する画像データを転送する。表示書換回路７３は、駆動回路６９に制御信号と変換された画像データとを順次転送する。そして、駆動回路６９により各々の画素４０の画素電極３５に画像データに対応する電位が入力される。
【００５２】
次に、温度検出ステップＳＴ１０において、制御回路７０は、温度センサー６５からの出力から温度情報を取得し、現在の環境温度（表示部５の温度）として保持するとともに、メモリー７１に設けられた環境温度用の記憶領域（図示略）に記憶させる。その後、検出温度判定ステップＳＴ１１に移行する。
【００５３】
次に、検出温度判定ステップＳＴ１１では、制御回路７０において、温度センサー６５による検出温度と予め設定しておいた基準温度（約５０℃）とが比較される。詳しくは後述するが、本実施形態では基準温度を少なくとも５０℃に設定し、４０℃に設定することがより好ましい。設定される基準温度値は、モード変換報知ステップＳＴ１２において表示制限モードへ移行する旨を放置する報知表示の実行の可否を判定する基準となる温度である。
そして、比較の結果、環境温度が基準温度（５０℃）以上であればモード変換報知ステップＳＴ１２が選択され、環境温度が基準温度（５０℃）以下であれば通常モード移行ステップＳＴ１４へ移り、通常の表示動作が実行されるとともに環境温度の監視動作が続行される。
【００５４】
図７は、同一駆動同一パルス（パルス電位）を使用した場合における温度帯別の画像濃度・反射率を示したグラフであり、図８は、温度帯別の画像コントラスト（白黒）を示したグラフである。
上記構成の電気泳動表示装置１００は、環境温度が高いほど焼き付きの程度が大きくなり、また焼き付きが発生するまでの時間も短くなる。
一般的に、白表示は反射率が高いほど濃度が高くなり、黒表示は反射率が低いほど濃度が高くなるため、コントラストが高く視認性が良好となる。環境温度が高くなると粒子が動き易くなるためコントラストが向上する。ところが、図７および以下の表１に示すように、環境温度が４０℃を超えると白表示の反射率（濃度）が低下するとともに黒表示の反射率（濃度）が上昇し、画像全体のコントラストが低下している（図８）。このことから、環境温度が４０℃以上になったときに焼き付きが発生したことが推定される。特に環境温度が５０℃を超えたときにこのような傾向が著しくなっている。
したがって、本実施形態では基準温度を５０℃としている。なお、環境温度が４０℃を超えるとコントラストの低下が観測されているので、基準温度を４０℃に設定してもよい。
【００５５】
【表１】
2011013467.tif 000003
【００５６】
モード変換報知ステップＳＴ１２において、制御回路７０は、表示制限モードに移行させる旨をユーザーに報知するためのモード変換報知動作を実行する。モード変更報知動作は、モード変更を表示又は示唆する画像を表示部５に表示させたり、報知音を音源装置７４から発生させる動作である。
【００５７】
報知表示を行う場合、制御回路７０は、図６に示すように表示部５の第３領域Ａ３にモードを変更する旨を報知するための報知表示として、例えば「TOO HOT!」などのようなメッセージを表示させる。なお、表示内容はこれに限らない。また、報知音の音色や音量はユーザーの注意を引くようなものが好ましい。
そして、このような報知動作を所定時間実施した後、表示制限モード移行ステップＳＴ１３へ移行する。
なお、本ステップにおいては、報知表示および報知音の両方を実施するとしたが、報知表示あるいは報知音のいずれか一方のみを実施してもよい。
【００５８】
表示制限モード移行ステップＳＴ１３は、表示モードを通常モードから表示制限モードへと移行させる。表示制限モードに移行すると、表２に示す第１〜第３表示設定のいずれかが実行される。
【００５９】
【表２】
2011013467.tif 000004
【００６０】
第１表示設定の場合、制御回路７０は、報知表示および時刻などを含め、表示部５に表示されていた表示画像の全てを消去する（図６）。すなわち、時刻を表示していた第１領域Ａ１および報知表示を表示していた第３領域Ａ３を白色表示に変えて、全画面を単一階調表示に固定する。電気泳動素子に含まれる白色の電気泳動粒子は、黒色の電気泳動粒子よりも固着し難く、画像の焼き付きが目立たないことから、表示領域全体を白色表示に固定する。
そして、表示制限モード中、操作入力部６６からの信号入力が検出されると、その信号が入力されている期間に限り、消去していた時刻を表示部５に表示させる動作が実行される。そして、操作入力部６からの信号入力がなくなると時刻表示を消去する。
【００６１】
第２表示設定の場合、制御回路７０は、上記同様に表示部５に表示されていた表示画像の全てを消去する。そして、操作入力部６６からの信号入力が検出されると消去していた表示画像の一部である時刻の表示動作が実行される。
例えば、操作入力部６６において表示選択ボタンが操作され、画像表示に関する信号が操作入力部６６から入力された場合には、時刻のみを表示部５に表示し、タイマー７２によりその表示時間の計測を開始する。
そして、入力信号が検出されてから所定時間が経過するとタイマー７２による計測を終了し、時刻表示を消去する。このように、操作入力部６６からの信号入力が検出されてから所定時間が経過するまでの間に限り、消去していた時刻の表示動作が行われる。
【００６２】
第３表示設定の場合、制御回路７０は、表示部５に表示されていた表示画像の一部である背景画像を消去するとともに文字画像（時刻）の表示位置を変更させる。すなわち、表示部５に表示された画像成分である時刻の表示位置を、間欠的に又は連続的に移動させる。
例えば、予め設定された時刻の表示時間をタイマー７２により計測し、時刻の表示位置を所定時間ごとに変更させてもいいし、あるいは連続的に表示位置を変更することによって表示位置を除々に移動させてもよい。このように、表示制限モードにおいては、第１領域Ａ１が時間に応じて変更されることとなる。
【００６３】
このような表示動作の後は、ステップＳＴ１０〜ＳＴ１３が繰り返され、温度センサー６５により検出される環境温度が予め設定された基準温度以上である期間においては、表示制限モードが実行される。すなわち、温度センサー６５により検出される環境温度が基準温度以下（４０℃以下）になるまで表示制限モードが実行されることとなる。
ここで、モード変換報知動作は、通常モードから表示制限モードへ移行する最初の段階においてのみ実行させるようにしてもよいし、表示制限モード中、定期的に実行させるようにしてもよい。そして、環境温度が４０℃以下になったことが検出されると、通常モードへ移行して通常の表示動作が再開される。
【００６４】
以上に説明した本実施形態の電気泳動表示装置１００では、温度センサー６５によって検出される環境温度に応じて表示モードの切替を実施している。つまり、温度センサー６５によって検出される環境温度が基準温度（約５０℃）を上回った場合に通常モードから表示制限モードへと移行させて、ユーザーから要望があった場合にのみ表示させるなど、表示部５に表示させる画像の表示制限を加えている。
つまり、表示時間や表示位置を変更することによって、画像表示においてマイクロカプセル２０の壁膜に引き寄せられた電気泳動粒子（黒色粒子２６および白色粒子２７）の全て又は一部をマイクロカプセル２０の壁膜から引き離すことができる。
したがって、長時間にわたって同一領域に同一画像が表示されている場合に、マイクロカプセル２０の壁膜に電気泳動粒子が固着してしまうのを防止することができ、焼き付きの発生を効果的に防止することができる。
【００６５】
また、本実施形態では、検出温度判定ステップＳＴ１１において、温度検出ステップＳＴ１０において検出した検出温度（環境温度）を基準温度と比較することによって、表示制限モードへ移行するか否かについて判断している。これにより、適切なタイミングでモード変換報知ステップＳＴ１２から表示制限モード移行ステップＳＴ１３へとスムーズに実行することができ、電力消費を抑えつつ表示画像の焼き付きを防止することができる。
【００６６】
マイクロカプセル２０の壁膜に電気泳動粒子が固着することで生じる焼き付きは、環境温度により加速される傾向がある。すなわち、比較的低温では焼き付きは生じにくく、高温において焼き付きが生じやすい。このため、表示制限モード移行ステップＳＴ１３では、環境温度が基準温度を超えて高温となったときに表示部５の全領域を単一階調表示（白表示）に固定することで全ての表示画像を消去し、その後は、ユーザーからの指示があったときのみ時刻等の任意画像を表示させる。
【００６７】
あるいは、画像の表示位置を変更させるようにすれば、全ての画像を消去させなくてもよい。これにより、表示画像を消去せずに表示位置を変更することで焼き付きを防止しているので、表示画像が失われてしまうことがなく、同一画像を表示し続ける用途に好適に用いることができる。
【００６８】
また、本実施形態では表示制限モードへ移行する前に、モード変換報知ステップＳＴ１２において、表示制限モードへ移行する旨を報知する報知動作が実行されるようなっている。これにより、通常モード時における表示方法と異なっていたとしても、ユーザーが装置が故障したと誤解するようなことを防止することができる。
【００６９】
また、報知動作において、報知表示だけでなく報知音を同時に発生させることにより、ユーザーが表示部５を確認することができない状況であっても、モード変換する旨をユーザーに確実に知らせることができる。
【００７０】
また、本実施形態においては、通常モードおよび表示制限モードのいずれのモードにおいても、環境温度の監視を続行するようになっている。これにより、モード変更が適切に行われるとともに、画像の焼き付きを確実且つ長期的に防止することができる。
また、表示制限モードにおいて、表示部５の全領域を単一階調表示に固定するのではなく、少なくとも一部の領域を単一階調表示に固定することによっても、焼き付き防止効果を得ることができる。
【００７１】
なお、本実施形態では、セグメント方式の電気泳動表示装置を例示して説明したが、本発明に係る駆動方法は、アクティブマトリクス方式の電気泳動表示装置にも好適に用いることができる。すなわち、本発明に係る電気泳動表示装置は、画素ごとにラッチ回路が設けられたＳＲＡＭ（Static Random Access Memory）方式の電気泳動表示装置とすることもでき、画素ごとに選択トランジスタとキャパシタを備えたＤＲＡＭ（Dynamic Random Access Memory）方式の電気泳動表示装置とすることもできる。
【００７２】
（電子機器）
次に、上記実施形態の電気泳動表示装置１００を、電子機器に適用した場合について説明する。
図９は、腕時計１０００の正面図である。腕時計１０００は、時計ケース１００２と、時計ケース１００２に連結された一対のバンド１００３とを備えている。
時計ケース１００２の正面には、上記各実施形態の電気泳動表示装置１００からなる表示部１００５と、秒針１０２１と、分針１０２２と、時針１０２３とが設けられている。
時計ケース１００２の側面には、操作子としての竜頭１０１０と操作ボタン１０１１とが設けられている。竜頭１０１０は、ケース内部に設けられる巻真（図示は省略）に連結されており、巻真と一体となって多段階（例えば２段階）で押し引き自在、かつ、回転自在に設けられている。表示部１００５では、背景となる画像、日付や時間などの文字列、あるいは秒針、分針、時針などを表示することができる。
【００７３】
図１０は電子ペーパー１１００の構成を示す斜視図である。電子ペーパー１１００は、上記実施形態の電気泳動表示装置１００を表示領域１１０１に備えている。電子ペーパー１１００は可撓性を有し、従来の紙と同様の質感及び柔軟性を有する書き換え可能なシートからなる本体１１０２を備えて構成されている。
【００７４】
図１１は、電子ノート１２００の構成を示す斜視図である。電子ノート１２００は、上記の電子ペーパー１１００が複数枚束ねられ、カバー１２０１に挟まれているものである。
カバー１２０１は、例えば外部の装置から送られる表示データを入力する図示は省略の表示データ入力手段を備える。これにより、その表示データに応じて、電子ペーパーが束ねられた状態のまま、表示内容の変更や更新を行うことができる。
【００７５】
以上の腕時計１０００、電子ペーパー１１００、及び電子ノート１２００によれば、本発明に係る電気泳動表示装置１００が採用されているので、長期間にわたって表示品質を維持することができる信頼性に優れた表示部を備えた電子機器となる。
【００７６】
なお、上記の電子機器は、本発明に係る電子機器を例示するものであって、本発明の技術範囲を限定するものではない。例えば、携帯電話、携帯用オーディオ機器などの電子機器の表示部にも、本発明に係る電気泳動表示装置は好適に用いることができる。
【符号の説明】
【００７７】
１００…電気泳動表示装置、５…表示部（電気泳動表示部）、３０…第１基板、３１…第２基板、３２…電気泳動素子、６３…コントローラー（制御部）、６５…温度センサー（温度測定部）、６６…操作入力部、７４…音源装置
【図１】
2011013467.tif 000005
【図２】
2011013467.tif 000006
【図３】
2011013467.tif 000007
【図４】
2011013467.tif 000008
【図５】
2011013467.tif 000009
【図６】
2011013467.tif 000010
【図７】
2011013467.tif 000011
【図８】
2011013467.tif 000012
【図９】
2011013467.tif 000013
【図１０】
2011013467.tif 000014
【図１１】
2011013467.tif 000015